(57)【要約】      （修正有）【課題】コンベヤベルト全体の引っ張り強度が低下することを防止するとともにベルト幅方向への浮き上がり防止ガイド係合部付きモジュールリンクの変形を防止し、容易に所望の位置に浮き上がり防止ガイド係合部付きモジュールリンクを組み合わせ自在となるコンベヤベルトを提供すること。【解決手段】浮き上がり防止ガイド係合部付きモジュールリンク１１２が、リンクベースと、浮き上がり防止ガイド係合部１１２ｄと、リンクベースのベルト長手方向一端側に配設して連結ピンを受け入れる第１ピン孔１１２ｂａと、リンクベースのベルト長手方向他端側に配設して連結ピンを受け入れる第２ピン孔１１２ｃａとを備え、第１ピン孔１１２ｂａが、ベルト幅方向に離間して２つ配設され、第２ピン孔１１２ｃａが、ベルト幅方向で２つの第１ピン孔１１２ｂａ、１１２ｂａの間となる位置に１つ配設されていることを特徴とするコンベヤベルト１１０。【選択図】図２
2013220919.tif 000002
【特許請求の範囲】
【請求項１】
連結ピン挿通孔を有する複数のボス部をリンク前端およびリンク後端にベルト幅方向で千鳥状に配設した合成樹脂製のモジュールリンクを相互に連結ピンでベルト長手方向に多数連結して無端状になりベルト外周側で搬送物品を積載するコンベヤベルトにおいて、
前記モジュールリンクが、前記ベルト外周側に搬送面を有する複数の浮き上がり防止ガイド係合部無しモジュールリンクと、前記ベルト外周側に搬送面を有するとともにベルト幅方向で複数の浮き上がり防止ガイド係合部無しモジュールリンク間に配設する浮き上がり防止ガイド係合部付きモジュールリンクとの二種類有し、
該浮き上がり防止ガイド係合部付きモジュールリンクが、前記搬送面を有するリンクベースと、該リンクベースのベルト内周側に配設して循環経路の浮き上がり防止ガイドレールと係合する浮き上がり防止ガイド係合部と、前記リンクベースのベルト長手方向一端側に配設して連結ピンをベルト幅方向に受け入れる第１ピン孔と、前記リンクベースのベルト長手方向他端側に配設して連結ピンをベルト幅方向に受け入れる第２ピン孔とを備え、
前記第１ピン孔が、前記ベルト幅方向に離間して２つ配設され、前記第２ピン孔が、前記ベルト幅方向で２つの第１ピン孔の間となる位置に１つ配設されていることを特徴とするコンベヤベルト。
【請求項２】
前記第２ピン孔を形成する第２ヒンジ部のベルト長手方向から視た断面積が、前記第１ピン孔をそれぞれ形成する２つの第１ヒンジ部のベルト長手方向から視た断面積の和と等しく設けられていることを特徴とする請求項１に記載のコンベヤベルト。
【請求項３】
前記第１ピン孔と第２ピン孔との間でのリンクベースのベルト長手方向から視た断面積が、前記浮き上がり防止ガイド係合部無しモジュールリンクでのリンクベースと同じ幅当たりのベルト長手方向から視た断面積と等しく設けられていることを特徴とする請求項１または請求項２に記載のコンベヤベルト。
【発明の詳細な説明】
【技術分野】
【０００１】
本発明は、合成樹脂製のモジュールリンクを連結ピンで無端状に多数編成してベルト外周側の搬送面で搬送物品を搭載して搬送するコンベヤベルトに関する。
【背景技術】
【０００２】
従来、連結ピン挿通孔を有する複数のボス部をリンク前端およびリンク後端に千鳥状に配設した合成樹脂製のモジュールリンクを相互に連結ピンでベルト長手方向に多数連結してなるコンベヤベルトが知られている（例えば、特許文献１および特許文献２）。
【０００３】
特許文献１に示す第１の従来態様のコンベヤベルトは、例えば、図６に示すようなタブアタッチメントを組み込んで、タブアタッチメントの係合部をコンベヤベルトの循環経路に配設された浮き防止ガイドレールと係合させることにより、循環経路の側視凹状曲線区間におけるコンベヤベルトの張力による所謂、浮き上がりを防止することができるように構成されていた。
【０００４】
図６は、第１の従来態様のコンベヤベルト５００（具体的な図示は省略）に取り付けるタブアタッチメントの側面図である。
図６に示すように、従来のタブアタッチメント５１０は、ベルト長手方向前後に２つ配設されて連結ピンを受け入れるピン孔５１１、５１１と、この２つのピン孔５１１、５１１よりベルト内周側に配設された係合部５１２とを有していた。
【０００５】
そして、モジュールリンクのボス部を削る等の加工をした箇所にピン孔５１１、５１１を配置してボス部のピン挿通孔に代えてピン孔５１１、５１１に連結ピンを挿通することにより、タブアタッチメント５１０がコンベヤベルト５００に取り付けられていた。
また、特許文献２に示す第２の従来態様のコンベヤベルトは、ベルト全幅を構成する一のモジュールリンクに係合部が一体に形成されていた。
【先行技術文献】
【特許文献】
【０００６】
【特許文献１】特開２００４−２６２６００号公報
【特許文献２】特表２００７−５３７１１３号公報
【発明の概要】
【発明が解決しようとする課題】
【０００７】
しかしながら、上述した第１の従来態様のコンベヤベルト５００は、タブアタッチメントのベルト長手方向前後に配設された２つのピン孔５１１、５１１が側視Ｖ字形状で接続されて２つのピン孔５１１、５１１間にこの２つのピン孔５１１、５１１間を真っ直ぐ繋ぐ実質的なリンク部材がない構造であったため、コンベヤベルト５００全体として実質的なリンクの数が減ってコンベヤベルト５００全体の引っ張り強度が低下するという問題があった。
さらに、モジュールリンクのボス部が千鳥状に配設されていることにより２つのピン孔５１１、５１１の位置がベルト幅方向で異なる位置関係となる場合はタブアタッチメントがベルト長手方向に対して左右非対称な形状を有する構造となるため、タブアタッチメント５１０がベルト幅方向に変形するという問題があった。
また、上述した第２の従来態様のコンベヤベルトは、係合部がベルト全幅を構成する一のモジュールリンクの特定の箇所に固定された構造であったため、係合部をベルト幅方向で所望の位置に変更して対応することが困難であるという問題があった。
【０００８】
そこで、本発明は、前述したような従来技術の問題を解決するものであって、すなわち、本発明の目的は、コンベヤベルト全体の引っ張り強度が低下することを防止するとともにベルト幅方向への浮き上がり防止ガイド係合部付きモジュールリンクの変形を防止し、容易に所望の位置に浮き上がり防止ガイド係合部付きモジュールリンクを組み合わせ自在となるコンベヤベルトを提供することである。
【課題を解決するための手段】
【０００９】
本請求項１に係る発明は、連結ピン挿通孔を有する複数のボス部をリンク前端およびリンク後端にベルト幅方向で千鳥状に配設した合成樹脂製のモジュールリンクを相互に連結ピンでベルト長手方向に多数連結して無端状になりベルト外周側で搬送物品を積載するコンベヤベルトにおいて、前記モジュールリンクが、前記ベルト外周側に搬送面を有する複数の浮き上がり防止ガイド係合部無しモジュールリンクと、前記ベルト外周側に搬送面を有するとともにベルト幅方向で複数の浮き上がり防止ガイド係合部無しモジュールリンク間に配設する浮き上がり防止ガイド係合部付きモジュールリンクとの二種類有し、該浮き上がり防止ガイド係合部付きモジュールリンクが、前記搬送面を有するリンクベースと、該リンクベースのベルト内周側に配設して循環経路の浮き上がり防止ガイドレールと係合する浮き上がり防止ガイド係合部と、前記リンクベースのベルト長手方向一端側に配設して連結ピンをベルト幅方向に受け入れる第１ピン孔と、前記リンクベースのベルト長手方向他端側に配設して連結ピンをベルト幅方向に受け入れる第２ピン孔とを備え、前記第１ピン孔が、前記ベルト幅方向に離間して２つ配設され、前記第２ピン孔が、前記ベルト幅方向で２つの第１ピン孔の間となる位置に１つ配設されていることにより、前述した課題を解決するものである。
【００１０】
本請求項２に係る発明は、請求項１に記載されたコンベヤベルトの構成に加えて、前記第２ピン孔を形成する第２ヒンジ部のベルト長手方向から視た断面積が、前記第１ピン孔をそれぞれ形成する２つの第１ヒンジ部のベルト長手方向から視た断面積の和と等しく設けられていることにより、前述した課題をさらに解決するものである。
【００１１】
本請求項３に係る発明は、請求項１または請求項２に記載されたコンベヤベルトの構成に加えて、前記第１ピン孔と第２ピン孔との間でのリンクベースのベルト長手方向から視た断面積が、前記浮き上がり防止ガイド係合部無しモジュールリンクでのリンクベースと同じ幅当たりのベルト長手方向から視た断面積と等しく設けられていることにより、前述した課題をさらに解決するものである。
【発明の効果】
【００１２】
本発明のコンベヤベルトは、連結ピン挿通孔を有する複数のボス部をリンク前端およびリンク後端にベルト幅方向で千鳥状に配設した合成樹脂製のモジュールリンクを相互に連結ピンでベルト長手方向に多数連結することにより、コンベヤベルトを無端状に構成してベルト外周側で搬送物品を積載することができるばかりでなく、以下のような特有の効果を奏することができる。
【００１３】
本請求項１に係る発明のコンベヤベルトによれば、モジュールリンクが、ベルト外周側に搬送面を有する複数の浮き上がり防止ガイド係合部無しモジュールリンクと、ベルト外周側に搬送面を有するとともにベルト幅方向で複数の浮き上がり防止ガイド係合部無しモジュールリンク間に配設する浮き上がり防止ガイド係合部付きモジュールリンクとの二種類有し、この浮き上がり防止ガイド係合部付きモジュールリンクが、搬送面を有するリンクベースと、このリンクベースのベルト内周側に配設して循環経路の浮き上がり防止ガイドレールと係合する浮き上がり防止ガイド係合部と、リンクベースのベルト長手方向一端側に配設して連結ピンをベルト幅方向に受け入れる第１ピン孔と、リンクベースのベルト長手方向他端側に配設して連結ピンをベルト幅方向に受け入れる第２ピン孔とを備え、第１ピン孔が、ベルト幅方向に離間して２つ配設され、第２ピン孔が、ベルト幅方向で２つの第１ピン孔の間となる位置に１つ配設されていることにより、連結ピン間の浮き上がり防止ガイド係合部無しモジュールリンクおよび浮き上がり防止ガイド係合部付きモジュールリンクのリンクベースからなる実質的なリンクの数が減らないため、コンベヤベルト全体の引っ張り強度が低下することを防止できる。
さらに、浮き上がり防止ガイド係合部付きモジュールリンクにおける張力の作用する箇所がベルト長手方向に対して左右対称となるため、ベルト幅方向への浮き上がり防止ガイド係合部付きモジュールリンクの変形を防止できる。
また、浮き上がり防止ガイド係合部付きモジュールリンクと浮き上がり防止ガイド係合部無しモジュールリンクとの組み合わせが自由自在となるため、容易に所望の位置に浮き上がり防止ガイド係合部付きモジュールリンクを組み合わせることができる。
【００１４】
本請求項２に係る発明のコンベヤベルトによれば、請求項１に係る発明が奏する効果に加えて、第２ピン孔を形成する第２ヒンジ部のベルト長手方向から視た断面積が、第１ピン孔をそれぞれ形成する２つの第１ヒンジ部のベルト長手方向から視た断面積の和と等しく設けられていることにより、第１ヒンジ部の強度と第２ヒンジ部の強度とが等しくなるため、浮き上がり防止ガイド係合部付きモジュールリンクにおける無駄をなくすことができる。
【００１５】
本請求項３に係る発明のコンベヤベルトによれば、請求項１または請求項２に係る発明が奏する効果に加えて、第１ピン孔と第２ピン孔との間でのリンクベースのベルト長手方向から視た断面積が、浮き上がり防止ガイド係合部無しモジュールリンクでのリンクベースと同じ幅当たりのベルト長手方向から視た断面積と等しく設けられていることにより、浮き上がり防止ガイド係合部付きモジュールリンクにおける第１ヒンジ部と第２ヒンジ部との間の引っ張り強度と浮き上がり防止ガイド係合部無しモジュールリンクにおける同じ幅当たりでのヒンジ部間の引っ張り強度とが略等しくなるため、コンベヤベルト全体で引っ張り強度のムラをなくすまたは減らすことができる。
【図面の簡単な説明】
【００１６】
【図１】本発明の一実施例のコンベヤ装置の概略を示す側面図。
【図２】本発明の一実施例のコンベヤ装置のコンベヤベルトを示す斜視図。
【図３】本発明の一実施例の浮き上がり防止ガイド係合部付きモジュールリンクを示す斜視図。
【図４】本発明の一実施例の浮き上がり防止ガイド係合部付きモジュールリンクを示す図。
【図５】本発明の一実施例の浮き上がり防止ガイド係合部付きモジュールリンクおよび浮き上がり防止ガイド係合部無しモジュールリンクを示す図。
【図６】第１の従来態様のコンベヤベルトに取り付けるタブアタッチメントの側面図。
【発明を実施するための形態】
【００１７】
本発明は、連結ピン挿通孔を有する複数のボス部をリンク前端およびリンク後端にベルト幅方向で千鳥状に配設した合成樹脂製のモジュールリンクを相互に連結ピンでベルト長手方向に多数連結して無端状になりベルト外周側で搬送物品を積載するコンベヤベルトにおいて、モジュールリンクが、ベルト外周側に搬送面を有する複数の浮き上がり防止ガイド係合部無しモジュールリンクと、ベルト外周側に搬送面を有するとともにベルト幅方向で複数の浮き上がり防止ガイド係合部無しモジュールリンク間に配設する浮き上がり防止ガイド係合部付きモジュールリンクとの二種類有し、この浮き上がり防止ガイド係合部付きモジュールリンクが、搬送面を有するリンクベースと、このリンクベースのベルト内周側に配設して循環経路の浮き上がり防止ガイドレールと係合する浮き上がり防止ガイド係合部と、リンクベースのベルト長手方向一端側に配設して連結ピンをベルト幅方向に受け入れる第１ピン孔と、リンクベースのベルト長手方向他端側に配設して連結ピンをベルト幅方向に受け入れる第２ピン孔とを備え、第１ピン孔が、ベルト幅方向に離間して２つ配設され、第２ピン孔が、ベルト幅方向で２つの第１ピン孔の間となる位置に１つ配設されていることにより、コンベヤベルト全体の引っ張り強度が低下することを防止するとともにベルト幅方向への浮き上がり防止ガイド係合部付きモジュールリンクの変形を防止し、容易に所望の位置に浮き上がり防止ガイド係合部付きモジュールリンクを組み合わせ自在となるものであれば、その具体的な実施態様は、如何なるものであっても構わない。
【００１８】
また、本発明は、連結ピン挿通孔を有する複数のボス部をリンク前端およびリンク後端にベルト幅方向で千鳥状に配設した合成樹脂製のモジュールリンクを相互に連結ピンでベルト長手方向に多数連結して無端状になりベルト外周側で搬送物品を積載するコンベヤベルトと、このコンベヤベルトに噛み合って掛け回すスプロケットと、コンベヤベルトの循環経路に沿って配設されてコンベヤベルトのベルト内周側に設けた浮き上がり防止ガイド係合部と係合する浮き上がり防止ガイドレールとを備えたコンベヤ装置において、モジュールリンクが、ベルト外周側に搬送面を有する複数の浮き上がり防止ガイド係合部無しモジュールリンクと、ベルト外周側に搬送面を有するとともにベルト幅方向で複数の浮き上がり防止ガイド係合部無しモジュールリンク間に配設する浮き上がり防止ガイド係合部付きモジュールリンクとの二種類有し、この浮き上がり防止ガイド係合部付きモジュールリンクが、搬送面を有するリンクベースと、このリンクベースのベルト内周側に配設して循環経路の浮き上がり防止ガイドレールと係合する浮き上がり防止ガイド係合部と、リンクベースのベルト長手方向一端側に配設して連結ピンをベルト幅方向に受け入れる第１ピン孔と、リンクベースのベルト長手方向他端側に配設して連結ピンをベルト幅方向に受け入れる第２ピン孔とを備え、第１ピン孔が、ベルト幅方向に離間して２つ配設され、第２ピン孔が、ベルト幅方向で２つの第１ピン孔の間となる位置に１つ配設されていることにより、コンベヤベルト全体の引っ張り強度が低下することを防止するとともにベルト幅方向への浮き上がり防止ガイド係合部付きモジュールリンクの変形を防止し、容易に所望の位置に浮き上がり防止ガイド係合部付きモジュールリンクを組み合わせ自在となるものであれば、その具体的な実施態様は、如何なるものであっても構わない。
【００１９】
例えば、コンベヤベルトは、合成樹脂製のモジュールリンクを相互に連結ピンでベルト長手方向に多数連結するものであればよく、一の浮き上がり防止ガイド係合部無しモジュールリンクのベルト幅方向の長さが長いものと短いものとを自由に組み合わせてもよい。
モジュールリンク等のコンベヤベルトを構成する部材の材料は、合成樹脂としてポリプロピレン、ポリエチレン、アセタール、ナイロン等を用いることができる。
さらに、複数の浮き上がり防止ガイド係合部無しモジュールリンクをベルト幅方向に並べて幅広のベルトを構成することが可能で、浮き上がり防止ガイド係合部付きモジュールリンクも幅方向に複数設置することが可能である。
【実施例】
【００２０】
以下に、本発明の一実施例であるコンベヤ装置１００について、図１乃至図５に基づいて説明する。
ここで、図１は、本発明の一実施例のコンベヤ装置１００の概略を示す側面図であり、図２は、本発明の一実施例のコンベヤ装置１００のコンベヤベルト１１０を示す斜視図であり、図３は、本発明の一実施例のコンベヤベルト１１０の浮き上がり防止ガイド係合部付きモジュールリンク１１２を示す斜視図であり、図４（Ａ）は、本発明の一実施例のコンベヤベルト１１０の浮き上がり防止ガイド係合部付きモジュールリンク１１２の平面図であり、図４（Ｂ）は、浮き上がり防止ガイド係合部付きモジュールリンク１１２の側面図であり、図４（Ｃ）は、図４（Ｂ）に示すＸ１−Ｘ１’で視た断面図であり、図４（Ｄ）は、図４（Ｂ）に示すＸ２−Ｘ２’で視た断面図であり、図５（Ａ）は、浮き上がり防止ガイド係合部付きモジュールリンク１１２の側面図であり、図５（Ｂ）は、図５（Ａ）に示すＸ３−Ｘ３’で視た断面図であり、図５（Ｃ）は、ベルト幅方向の長さがボス部の１ピッチ分である浮き上がり防止ガイド係合部無しモジュールリンク１１１Ａ〜Ｃの側面図であり、図５（Ｄ）は、図５（Ｃ）に示すＸ４−Ｘ４’で視た断面図である。
【００２１】
本発明の一実施例であるコンベヤ装置１００は、図１乃至図５に示すように、搬送物品（図示せず）をベルト外周側の搬送面１１１ａ、１１２ａに搭載して搬送する多数の合成樹脂製のモジュールリンク（１１１Ａ〜Ｃ、１１２）を連結ピン１１３によりベルト長手方向にそれぞれ相互に連結してなる無端状コンベヤベルト１１０と、このコンベヤベルト１１０に噛み合って掛け回すスプロケットである駆動スプロケット１２０および従動スプロケット１３０、１３０…と、コンベヤベルト１１０の循環経路に沿って配設されてコンベヤベルト１１０のベルト内周側に設けた浮き上がり防止ガイド係合部１１２ｄと係合する浮き上がり防止ガイドレール１６０とを備えている。
【００２２】
具体的には、コンベヤ装置１００は、コンベヤベルト１１０と、駆動スプロケット１２０と、複数の従動スプロケット１３０、１３０…と、テンショナー１４０と、ローラ１５０と、浮き上がり防止ガイドレール１６０と、側視凸曲面ガイド１７０とを備えている。
このうち、駆動スプロケット１２０は、図示しないモータによって図中の反時計方向へ回転駆動してコンベヤベルト１１０を矢印の方向へ移動させて搬送側Ａから搬送物品を搬送せずに搬送開始位置へ帰る帰り側Ｂへ、帰り側Ｂから搬送側Ａへ循環させる。
ここで、搬送側Ａとは、コンベヤベルト１１０の循環経路における搬送物品を搬送開始位置から搬送終了位置まで搬送する向きでコンベヤベルト１１０が送られる範囲をいい、他方、帰り側Ｂとは、搬送終了位置から搬送開始位置まで帰る向きでコンベヤベルト１１０が送られる範囲をいう。
【００２３】
また、複数の従動スプロケット１３０、１３０…は、従動回転してコンベヤベルト１１０を送るように構成されている。
さらに、テンショナー１４０は、図示しない付勢手段によってコンベヤベルト１１０に所定の張力を付与するように設けられている。
また、ローラ１５０は、コンベヤベルト１１０が駆動スプロケット１２０に巻き付く量を確保するために従動回転自在にコンベヤベルト１１０のベルト外周面と接触するように構成されている。
【００２４】
さらに、浮き上がり防止ガイドレール１６０は、搬送側Ａで側視凹曲線に形成されてコンベヤベルト１１０の浮き上がり防止ガイド係合部付きモジュールリンク１１２の浮き上がり防止ガイド係合部１１２ｄ（図２乃至図５参照）と係合することにより、コンベヤベルト１１０の張力に対抗して搬送側Ａにおける側視凹曲線の範囲での浮き上がりを防止するように設けられている。
また、側視凸曲面ガイド１７０は、搬送側Ａで側視凸曲線に形成されてコンベヤベルト１１０の張力によって押し付けられるコンベヤベルト１１０をガイドするように構成されている。
【００２５】
続いて、本発明の一実施例であるコンベヤ装置１００のコンベヤベルト１１０の構成について詳しく説明する。
本発明の一実施例であるコンベヤ装置１００のコンベヤベルト１１０は、図２に示すように、連結ピン挿通孔であるピン挿通孔１１１ｂａを有する複数のボス部としてのヒンジ部１１１ｂ、１１１ｂ…をリンク前端およびリンク後端にベルト幅方向で千鳥状に配設した合成樹脂製のモジュールリンク（１１１Ａ〜Ｃ、１１２）を相互に連結ピン１１３でベルト長手方向に多数連結して無端状になりベルト外周側で搬送物品を積載するように構成されている。
【００２６】
具体的には、コンベヤベルト１１０は、モジュールリンク（１１１Ａ〜Ｃ、１１２）と、連結ピン１１３とから構成されており、モジュールリンク（１１１Ａ〜Ｃ、１１２）が、浮き上がり防止ガイド係合部無しモジュールリンク１１１Ａ〜Ｃと、浮き上がり防止ガイド係合部付きモジュールリンク１１２との二種類ある。
このうち、浮き上がり防止ガイド係合部無しモジュールリンク１１１Ａは、ベルト全幅の一端から他端まで一体に形成され、浮き上がり防止ガイド係合部無しモジュールリンク１１１Ｂ、１１１Ｃは、ベルト全幅の半分よりもボス部一ピッチ分だけ短い幅で一体に形成されており、浮き上がり防止ガイド係合部無しモジュールリンク１１１Ｂがベルト幅方向一端側を構成し、浮き上がり防止ガイド係合部無しモジュールリンク１１１Ｃがベルト幅方向他端側を構成する。
なお、浮き上がり防止ガイド係合部無しモジュールリンク１１１Ａ〜Ｃをベルト幅方向に短く構成、つまり、ボス部一ピッチ分または数ピッチ分だけの幅で形成されていてもよい。
【００２７】
また、浮き上がり防止ガイド係合部無しモジュールリンク１１１Ａ〜Ｃのベルト長手方向前後には、ヒンジ部１１１ｂ、１１１ｂ…がベルト幅方向で千鳥状に配設され、ヒンジ部１１１ｂ、１１１ｂ…には、連結ピン１１３が挿入されるピン挿通孔１１１ｂａが形成されている。
同様に、浮き上がり防止ガイド係合部付きモジュールリンク１１２のベルト長手方向前後には、第１ヒンジ部１１２ｂおよび第２ヒンジ部１１２ｃがベルト幅方向で千鳥状に配設され、第１ヒンジ部１１２ｂには、連結ピン１１３が挿入される第１ピン孔１１２ｂａが形成され、第２ヒンジ部１１２ｃには、連結ピン１１３が挿入される第２ピン孔１１２ｃａが形成されている。
【００２８】
そして、浮き上がり防止ガイド係合部無しモジュールリンク１１１Ｂと浮き上がり防止ガイド係合部無しモジュールリンク１１１Ｃとの間にボス部一ピッチ分の幅で形成された浮き上がり防止ガイド係合部付きモジュールリンク１１２が配設されて、浮き上がり防止ガイド係合部無しモジュールリンク１１１Ｂと浮き上がり防止ガイド係合部付きモジュールリンク１１２と浮き上がり防止ガイド係合部無しモジュールリンク１１１Ｃとを一体としてこれらと、浮き上がり防止ガイド係合部無しモジュールリンク１１１Ａとをベルト長手方向に交互に連結ピン１１３で連結してコンベヤベルト１１０が構成されている。
【００２９】
続いて、本発明の一実施例であるコンベヤ装置１００のコンベヤベルト１１０の浮き上がり防止ガイド係合部付きモジュールリンク１１２についてさらに詳しく説明する。
本発明の一実施例であるコンベヤベルト１１０の浮き上がり防止ガイド係合部付きモジュールリンク１１２は、図３乃至図５に示すように、浮き上がり防止ガイド係合部付きモジュールリンク１１２が、ベルト外周側に搬送面１１２ａを有するリンクベース１１２Ａと、リンクベース１１２Ａのベルト内周側に配設して循環経路の浮き上がり防止ガイドレール１６０と係合する浮き上がり防止ガイド係合部１１２ｄと、リンクベース１１２Ａのベルト長手方向一端側に配設して連結ピン１１３をベルト幅方向に受け入れる第１ピン孔１１２ｂａと、リンクベース１１２Ａのベルト長手方向他端側に配設して連結ピン１１３をベルト幅方向に受け入れる第２ピン孔１１２ｃａとを備えている。
【００３０】
さらに、第１ピン孔１１２ｂａが、ベルト幅方向に離間して２つ配設され、第２ピン孔１１２ｃａが、ベルト幅方向で２つの第１ピン孔１１２ｂａ、１１２ｂａの間となる位置に１つ配設されている。
これにより、連結ピン１１３、１１３間の浮き上がり防止ガイド係合部無しモジュールリンク１１１Ａ〜Ｃおよび浮き上がり防止ガイド係合部付きモジュールリンク１１２のリンクベース１１２Ａからなる実質的なリンクの数が減らない。
さらに、浮き上がり防止ガイド係合部付きモジュールリンク１１２における張力の作用する箇所がベルト長手方向に対して左右対称となる。
また、浮き上がり防止ガイド係合部付きモジュールリンク１１２と浮き上がり防止ガイド係合部無しモジュールリンク１１１Ａ〜Ｃとの組み合わせが自由自在となる。
【００３１】
具体的には、浮き上がり防止ガイド係合部付きモジュールリンク１１２は、リンクベース１１２Ａと、搬送面１１２ａと、第１ヒンジ部１１２ｂと、第２ヒンジ部１１２ｃと、浮き上がり防止ガイド係合部１１２ｄとを有している。
このうち、リンクベース１１２Ａは、浮き上がり防止ガイド係合部無しモジュールリンク１１１Ａ〜Ｃと同様に連結ピン１１３、１１３間で実質的なリンク部材を構成するとともにベルト外周側に搬送面１１２ａを有している。
【００３２】
さらに、第１ヒンジ部１１２ｂは、ベルト長手方向一端側に２つ配設され、第１ヒンジ部１１２ｂには、連結ピン１１３が挿入される第１ピン孔１１２ｂａが形成されている。
また、第２ヒンジ部１１２ｃは、ベルト長手方向他端側の位置においてベルト幅方向で２つの第１ヒンジ部１１２ｂ、１１２ｂの間となる位置に１つ配設され、第２ヒンジ部１１２ｃには、連結ピン１１３が挿入される第２ピン孔１１２ｃａが形成されている。
【００３３】
さらに、図４（Ｂ）〜図４（Ｄ）に示すように、第２ピン孔１１２ｃａを形成する第２ヒンジ部１１２ｃのベルト長手方向から視た断面積Ｓ１、Ｓ２の和が、第１ピン孔１１２ｂａ、１１２ｂａをそれぞれ形成する２つの第１ヒンジ部１１２ｂ、１１２ｂのベルト長手方向から視た断面積Ｓ３、Ｓ４、Ｓ５およびＳ６の和と等しく設けられている。
これにより、第１ヒンジ部１１２ｂの強度と第２ヒンジ部１１２ｃの強度とが等しくなる。
ここで、図４（Ｃ）にハッチングで示す断面のうち、第２ヒンジ部１１２ｃである部分（断面積Ｓ１、Ｓ２の範囲）がベルト強度に大きく影響する箇所であり、第２ヒンジ部１１２ｃでない部分Ｔ１がベルト強度に与える影響は小さいものとする。
【００３４】
また、図５（Ａ）〜図５（Ｄ）に示すように、第１ピン孔１１２ｂａと第２ピン孔１１２ｃａとの間でのリンクベース１１２Ａのベルト長手方向から視た断面積Ｓ７が、浮き上がり防止ガイド係合部無しモジュールリンク１１１Ａ〜Ｃでのリンクベース１１２Ａと同じ幅当たりのベルト長手方向から視た断面積Ｓ８と等しく設けられている。
これにより、浮き上がり防止ガイド係合部付きモジュールリンク１１２における第１ヒンジ部１１２ｂと第２ヒンジ部１１２ｃとの間の引っ張り強度と、浮き上がり防止ガイド係合部無しモジュールリンク１１１Ａ〜Ｃにおける同じ幅当たりでのヒンジ部１１１ｂ、１１１ｂ間の引っ張り強度とが略等しくなる。
ここで、図５（Ｂ）にハッチングで示す断面のうち、リンクベース１１２Ａである部分（断面積Ｓ７の範囲）がベルト強度に大きく影響する箇所であり、リンクベース１１２Ａでない部分Ｔ２がベルト強度に与える影響は小さいものとする。
【００３５】
このようにして得られた本発明の一実施例であるコンベヤベルト１１０は、モジュールリンク（１１１Ａ〜Ｃ、１１２）が、ベルト外周側に搬送面１１１ａを有する複数の浮き上がり防止ガイド係合部無しモジュールリンク１１１Ａ〜Ｃと、ベルト外周側に搬送面１１２ａを有するとともにベルト幅方向で複数の浮き上がり防止ガイド係合部無しモジュールリンク１１１Ｂ、Ｃ間に配設する浮き上がり防止ガイド係合部付きモジュールリンク１１２との二種類有し、この浮き上がり防止ガイド係合部付きモジュールリンク１１２が、搬送面１１２ａを有するリンクベース１１２Ａと、リンクベース１１２Ａのベルト内周側に配設して循環経路の浮き上がり防止ガイドレール１６０と係合する浮き上がり防止ガイド係合部１１２ｄと、リンクベース１１２Ａのベルト長手方向一端側に配設して連結ピン１１３をベルト幅方向に受け入れる第１ピン孔１１２ｂａと、リンクベース１１２Ａのベルト長手方向他端側に配設して連結ピン１１３をベルト幅方向に受け入れる第２ピン孔１１２ｃａとを備え、第１ピン孔１１２ｂａが、ベルト幅方向に離間して２つ配設され、第２ピン孔１１２ｃａが、ベルト幅方向で２つの第１ピン孔１１２ｂａ、１１２ｂａの間となる位置に１つ配設されていることにより、コンベヤベルト１１０全体の引っ張り強度が低下することを防止できるとともにベルト幅方向への浮き上がり防止ガイド係合部付きモジュールリンク１１２の変形を防止でき、さらに、容易に所望の位置に浮き上がり防止ガイド係合部付きモジュールリンク１１２を組み合わせることができる。
【００３６】
さらに、第２ピン孔１１２ｃａを形成する第２ヒンジ部１１２ｃのベルト長手方向から視た断面積が、第１ピン孔１１２ｂａ、１１２ｂａをそれぞれ形成する２つの第１ヒンジ部１１２ｂ、１１２ｂのベルト長手方向から視た断面積の和と等しく設けられていることにより、浮き上がり防止ガイド係合部付きモジュールリンク１１２における無駄をなくすことができる。
【００３７】
また、第１ピン孔１１２ｂａと第２ピン孔１１２ｃａとの間でのリンクベース１１２Ａのベルト長手方向から視た断面積が、浮き上がり防止ガイド係合部無しモジュールリンク１１１Ａ〜Ｃでの同じ幅当たりのベルト長手方向から視た断面積と等しく設けられていることにより、コンベヤベルト１１０全体で引っ張り強度のムラをなくすまたは減らすことができる。
【００３８】
このようにして得られた本発明の一実施例であるコンベヤ装置１００は、モジュールリンク（１１１Ａ〜Ｃ、１１２）が、ベルト外周側に搬送面１１１ａを有する複数の浮き上がり防止ガイド係合部無しモジュールリンク１１１Ａ〜Ｃと、ベルト外周側に搬送面１１２ａを有するとともにベルト幅方向で複数の浮き上がり防止ガイド係合部無しモジュールリンク１１１Ｂ、Ｃ間に配設する浮き上がり防止ガイド係合部付きモジュールリンク１１２との二種類有し、この浮き上がり防止ガイド係合部付きモジュールリンク１１２が、搬送面１１２ａを有するリンクベース１１２Ａと、リンクベース１１２Ａのベルト内周側に配設して循環経路の浮き上がり防止ガイドレール１６０と係合する浮き上がり防止ガイド係合部１１２ｄと、リンクベース１１２Ａのベルト長手方向一端側に配設して連結ピン１１３をベルト幅方向に受け入れる第１ピン孔１１２ｂａと、リンクベース１１２Ａのベルト長手方向他端側に配設して連結ピン１１３をベルト幅方向に受け入れる第２ピン孔１１２ｃａとを備え、第１ピン孔１１２ｂａが、ベルト幅方向に離間して２つ配設され、第２ピン孔１１２ｃａが、ベルト幅方向で２つの第１ピン孔１１２ｂａ、１１２ｂａの間となる位置に１つ配設されていることにより、コンベヤベルト１１０全体の引っ張り強度が低下することを防止できるとともにベルト幅方向への浮き上がり防止ガイド係合部付きモジュールリンク１１２の変形を防止でき、さらに、容易に所望の位置に浮き上がり防止ガイド係合部付きモジュールリンク１１２を組み合わせることができるなど、その効果は甚大である。
【符号の説明】
【００３９】
１００      ・・・  コンベヤ装置
１１０      ・・・  コンベヤベルト
１１１Ａ〜Ｃ・・・  浮き上がり防止ガイド係合部無しモジュールリンク
１１１ａ    ・・・  搬送面
１１１ｂ    ・・・  ヒンジ部（ボス部）
１１１ｂａ  ・・・  ピン挿通孔
１１２      ・・・  浮き上がり防止ガイド係合部付きモジュールリンク
１１２Ａ    ・・・  リンクベース
１１２ａ    ・・・  搬送面
１１２ｂ    ・・・  第１ヒンジ部
１１２ｂａ  ・・・  第１ピン孔
１１２ｃ    ・・・  第２ヒンジ部
１１２ｃａ  ・・・  第２ピン孔
１１２ｄ    ・・・  浮き上がり防止ガイド係合部
１１３      ・・・  連結ピン
１２０      ・・・  駆動スプロケット
１３０      ・・・  従動スプロケット
１４０      ・・・  テンショナー
１５０      ・・・  ローラ
１６０      ・・・  浮き上がり防止ガイドレール
１７０      ・・・  側視凸曲面ガイド
５００      ・・・  （従来技術の）コンベヤベルト
５１０      ・・・  タブアタッチメント
５１１      ・・・  ピン孔
５１２      ・・・  係合部
Ａ          ・・・  搬送側
Ｂ          ・・・  帰り側
【図１】
2013220919.tif 000003
【図２】
2013220919.tif 000004
【図３】
2013220919.tif 000005
【図４】
2013220919.tif 000006
【図５】
2013220919.tif 000007
【図６】
2013220919.tif 000008